(57)【要約】【課題】  現場におけるジャンパー線の接続状況、作業環境などに関わらず、カバー本体がジャンパー線の切断端部に確実に被さることで、安全且つ確実に活線工事が行える絶縁端末カバーを提供することにある。【解決手段】  活線工事の際に、ジャンパー線Ｌの切断端部に被せる絶縁端末カバーであって、カバー本体１の開口Ｒ側には取付部材３を介し、当該カバー本体１の中に差し入れたジャンパー線Ｌを把持する挟持部２を備えていることを特徴とする。【選択図】      図３（ａ）（ｂ）
2006121781.tif 000002
【特許請求の範囲】
【請求項１】
活線工事の際に、ジャンパー線（Ｌ）の切断端部に被せる絶縁端末カバーであって、
カバー本体（１）の開口（Ｒ）側には取付部材（３）を介し、当該カバー本体（１）の中に差し入れたジャンパー線（Ｌ）を把持する挟持部（２）を備えていることを特徴とする絶縁端末カバー。
【請求項２】
前記挟持部（２）は、軸体（８）を介して開閉する一対の各ハンドル（７，７）と、
当該各ハンドル（７，７）の各々の作用部（７ａ，７ａ）が閉鎖方向に付勢力を保有するように配置される付勢部材（１４）と、前記軸体（８）を介した作用部（７ａ，７ａ）の反対側から突出する柄（７ｂ，７ｂ）とからなり、
前記各ハンドル（７，７）の各々の作用部（７ａ，７ａ）の先側には、それぞれが対面するように内向きに延長した各アーム（１０，１０）の一端側を回転可能に軸支する一方、当該各アーム（１０，１０）の各々の他端側間には、軸体（８）側に向けて当接部位（１５ｂ）を有する押さえ部（９）を回転可能に軸支し、
前記押さえ部（９）は、各ハンドル（７，７）の各々の作用部（７ａ，７ａ）の開閉度合によって、当該各作用部（７ａ，７ａ）が閉じようとすれば軸体（８）側へ、また開こうとすれば前記軸体（８）から遠ざかる側へそれぞれ移動し、押さえ部（９）の当接部位（１５ｂ）と各作用部（７ａ，７ａ）の対向面に各々備えた当接部位（１５ａ，１５ａ）とにより、ジャンパー線（Ｌ）を抜け出し不能に把持できるように形成していることを特徴とする請求項１記載の絶縁端末カバー。
【請求項３】
前記挟持部（２）の柄（７ｂ，７ｂ）の側には、間接活線把持具（１１）の被把持部（５，５）を備えていることを特徴とする請求項２記載の絶縁端末カバー。
【発明の詳細な説明】
【技術分野】
【０００１】
本発明は、活線工事の際に使用する絶縁端末カバーに関するものである。
【背景技術】
【０００２】
活線工法には、作業員が保護具を取付け、直接通電部分に触れながら作業を行う直接活線工法と、補助機材を用いて作業を行う間接活線工法とがあり、特に工事頻度の高い仮設開閉器工事に伴う縁廻し線の切断接続工法が活線工法化されつつある。また、作業者の感電事故を避けるために工事区域を停電して作業を行うのが望ましいが、近年の飛躍的なパーソナルコンピュータやＯＡ機器の普及から、停電時間を設けることが工事区域内に居を構える事業所にとっては、多大な損失が生じる問題点があった。このことから、近年の配電線工事では、無停電作業工法と称される方法が広く採用され、これは、停電時間及び停電区間を最小限に抑える作業方法であり、具体的には、切断されたジャンパー線の各端部間に電力供給のバイパスとなるケーブルや、あるいは発電車などを設置し、電力の供給を行う一方で、ジャンパー線の各端部には、固定装置を介在して間隔を設けることで振動によるジャンパー線の接触を防止し、そのうえ合成樹脂や合成ゴムなどの絶縁素材で形成されたカバーをそれぞれに嵌込み、さらに作業者の感電事故ならびに短絡、地絡事故を防止するものであった。
【特許文献１】特開平１１−１２６５３０号公報（１頁目、図１）
【発明の開示】
【発明が解決しようとする課題】
【０００３】
しかしながら、配電線工事で使用される上記のような絶縁端末カバーにおいては、作業中の感電事故を防止するという面では多大な効果があるものの、例えば、工事区域に吹きつける風や作業中にジャンパー線に伝わる振動などにより、前記各カバーを嵌めた状態にあるジャンパー線の各端部が不規則に揺動し、作業に支障をきたす問題点があったため、この問題を解消する様々な対策が採られていた。ただ、従来のこの種のカバーの多くが、当該カバー内に何らかの抵抗を設けるような加工を施してジャンパー線端部を把持するような態様であったために、ジャンパー線が大きく揺れた場合、カバー本体が離隔具などに
引っ張られて、当該カバー内に銜え込まれたジャンパー線の切断端部が不意に抜け出し、事故の発生を招くこととなった。
【０００４】
本発明は、上記課題を鑑みてなされたものであり、現場におけるジャンパー線の接続状況、作業環境などに関わらず、カバー本体がジャンパー線の切断端部に確実に被さることで、安全且つ確実に活線工事が行える絶縁端末カバーを提供することにある。
【課題を解決するための手段】
【０００５】
本発明の請求項１記載の発明は、活線工事の際に、ジャンパー線の切断端部に被せる絶縁端末カバーであって、カバー本体の開口側には取付部材を介し、当該カバー本体の中に差し入れたジャンパー線を把持する挟持部を備えていることを特徴とする。
【０００６】
ここで挟持部は、カバー本体の中に銜え込まれたジャンパー線に対し、ジャンパー線の延長方向に対して交差する方向（一般的には、左右に架け渡される活線の下方側から）から挟持できる構成のものであればよく、具体的には、クリップやハサミのようなものが挙げられる。また取付部材は、カバー本体の開口側及び挟持部の作動を遮ることなく、カバー本体と挟持部とをしっかりとジョイントできるものであればよく、例えば、ジャンパー線の入口を確保した上で、その両端側に取付部位を有するような全体が筒型をなすアダプタ等が挙げられる。
【０００７】
以上のように本絶縁端末カバーを形成すると、機器に接続されたジャンパー線の撓みに対してカバー本体内に銜え込まれた当該ジャンパー線の切断端部が、前記カバー本体にジョイントされた挟持部に把持されることで、ジャンパー線の切断端部がカバー本体に被覆された状態を保ったまま、挟持部の把持力によって抜け出し不能にしっかりと保持される。
【０００８】
本発明のうち請求項２記載の発明では、前記挟持部は、軸体を介して開閉する一対の各ハンドルと、当該各ハンドルの各々の作用部が閉鎖方向に付勢力を保有するように配置される付勢部材と、前記軸体を介した作用部の反対側から突出する柄とからなり、前記各ハンドルの各々の作用部の先側には、それぞれが対面するように内向きに延長したアームの一端側を回転可能に軸支する一方、当該各アームの各々の他端側間には、軸体側に向けて滑り止め部材を有する押さえ部を回転可能に軸支し、前記押さえ部は、各ハンドルの各々の作用部の開閉度合によって、当該各作用部が閉じようとすれば軸体側へ、また開こうとすれば前記軸体から遠ざかる側へそれぞれ移動し、押さえ部の滑り止め部材と各作用部の対向面に各々備えた滑り止め部材とにより、ジャンパー線を抜け出し不能に把持できるように形成しているので、カバー本体の内部に収まったジャンパー線に対し、各作用部の対向面及び押さえ部の三方向から各々の当接部位を介して把持することで、挟持部からのジャンパー線の抜け出しが防がれ、さらにはカバー本体からの抜け出しも防がれる。
【０００９】
ここで押さえ部と各アームの構造は、各ハンドル作用部の開閉の度合によって、当該各ハンドルの対向面とともにジャンパー線を挟むための間隔が絞り込まれるような構造であればよい。また付勢部材は、各ハンドルの作用部同士が、常に閉じる方向に付勢力を働かせるようにできるものであればよく、具体的にはコイルバネや、板バネ等が挙げられる。
【００１０】
本発明のうち請求項３記載の発明では、前記挟持部の柄の側には、間接活線把持具の被把持部を備えているので、各被把持部に間接活線把持具の作用部先端がホールドされ、さらに間接活線把持具を用いて当該被把持部を開閉することで、作業者は遠隔操作による挟持部の開閉度合の調整を行える。
【００１１】
ここで被把持部は、例えば間接活線把持具の作用部先端と一致する凹部を備えたり、あるいは、扁平な板材を備えてもよい。
【発明の効果】
【００１２】
本発明のうち請求項１及び２記載の発明によれば、挟持部による把持によって、カバー本体とジャンパー線の切断端部との連結状態を強固なものとでき、様々な接続状況のジャンパー線においても前記切断端部がカバー本体から抜け出すことがなく、結果、事故の防止に努められる。
【００１３】
本発明のうち請求項３記載の発明によれば、前述した効果に加えて、間接活線把持具を用いて作業が行えることから、より一層の作業の安全性が確保される。
【発明を実施するための最良の形態】
【００１４】
以下、本発明による絶縁端末カバーの実施の形態を各図面に基づいて以下に説明する。
【００１５】
本絶縁端末カバーは図１と図２のように、離隔具４を介して上下にそれぞれカバー本体１，１を備えてある。またカバー本体１の詳細については、筒型の胴部の先端側が窄まるようなテーパを付けており、また基端側にジャンパー線Ｌの差込用の開口Ｒを備えたキャップ状をなすものである。さらにカバー本体１の開口Ｒ側には、この開口Ｒと連通した丸孔状の入口Ｅを有するリング状をなすアダプタ３を介してクリップ２を固定している。また前記アダプタ３とカバー本体１との連結は、カバー本体１の先端側からアダプタ３を嵌め込み、当該カバー本体１外周の開口Ｒ付近に設けた鍔１９に、前記アダプタ３の内向き片２０を係止している。さらにアダプタ３とクリップ２との連結は、後述するがアダプタ３の下部に設けてあるクリップ２の軸体８の軸受１８を介して取り付けてある（図３（ａ）（ｂ）参照）。
【００１６】
また前記各カバー本体１，１間に介在する離隔具４は、長尺な棒材の両端部にカバー本体１の胴部を囲む固定バンド１６を連結したものであり、さらに前記各バンド１６は、棒材の端部を基準としてカバー本体１を多段階的な角度調節ができるように、各々の合わせ面に放射状に配置された雄雌部６同士を嵌め合わせ、さらに、適宜嵌め合わせた調整位置においてネジ止めされている（図２参照）。
【００１７】
そして本絶縁端末カバーの要部となるクリップ２の構成は図３（ａ）（ｂ）のように、本クリップ２は、中央が外側に膨らむように彎曲した一方のハンドル７に対し、対称的に彎曲する他方のハンドル７を交差し、さらに各ハンドル７，７を軸体８により開閉可能に軸支し、本クリップ２の作用部位を、各ハンドル７，７の双方のヘッド７ａ，７ａによって形成している。そして、このヘッド７ａ，７ａを設けてある側を一方側とする前記軸体８を介した他方側の各柄７ｂ，７ｂ間には、バネ材１４を介在しており、このバネ材１４は、軸体８を取り巻くように配置されると共に、当該各柄７ｂ，７ｂの対向面にそれぞれ当接するように跨っている。これにより、前記バネ材１４からの付勢力の付与により、各ハンドル７，７の各々のヘッド７ａ，７ａを常に閉じる方向に作動するように構成したものである。
【００１８】
また各ハンドル７，７の柄７ｂ，７ｂの下端部は膨らみを有しており、この各々の膨らみにおける相反する方向に開口した凹部５，５が設けてある。そしてこの凹部５，５は、間接活線把持具１１の作用部先端面と噛合可能な連続凸面１７，１７を奥面に設けており、これにより間接活線把持具１１によるクリップ２の把持力が一層強くなる。
【００１９】
さらに、前記各ハンドル７，７の各々のヘッド７ａ，７ａの先端部には、アーム１０，１０が対向面側に軸支してあり、これにより各ハンドル７，７が閉じた際には、各アーム１０，１０が前後に重なるように配置される。また各アーム１０，１０同士はブロック状の押さえ部を介して軸支してあり、この押さえ部９は、各ハンドル７，７の開閉度合によって各アーム１０，１０と連動し、軸体８側、そして該軸体８から離れる方向に対応移動する。また各ヘッド７ａ，７ａの対向面と押さえ部９の下端面には、それぞれに凹凸面を有する滑り止め部材１５ａ，１５ａ，１５ｂを固着しており、各滑り止め部材１５ａ，１５ａ，１５ｂが当接してグリップ力を発揮し、この結果、カバー本体１装着時のジャンパー線Ｌの把持力を高めている。
尚、符号１３，１３は各ハンドル７，７の開閉時、押さえ部９を上下移動させ易くするためのガイド片である。
【００２０】
次に、本絶縁端末カバーの実際の使用状態を説明する。
まず間接活線把持具１１を用いて、その先端をクリップ２の凹部５，５内の連続凸面１７，１７に宛がい、バネ材１４の付勢力に抗して各ヘッド７ａ，７ａを全開した状態とする。次いでジャンパー線Ｌの切断端部を、カバー本体１の開口Ｒに連通するアダプタ３のジャンパー線の入口Ｅに差し込み、最後に間接活線把持具１１をクリップ２の凹部５，５から外して、バネ材１４の付勢力によって各ヘッド７ａ，７ａが閉じると、各ハンドル７，７と押さえ部９との三箇所にある滑り止め部材１５ａ，１５ａ，１５ｂによって、ジャンパー線Ｌが自動的に把持される。これによりジャンパー線Ｌは、各ヘッド７ａ，７ａと押さえ部９との等間隔に配置された三点で把持されることで、カバー本体１及びクリップ２からのジャンパー線Ｌの不意な抜け出しを防ぐことができる。
【図面の簡単な説明】
【００２１】
【図１】本発明の絶縁端末カバーの取り付け例を示す説明図である。
【図２】図１中Ａを拡大して示す、本絶縁端末カバーの使用状態を示す一部を切欠した説明図である。
【図３（ａ）（ｂ）】各々、本発明の絶縁端末カバーの使用状態を示す説明図である。
【符号の説明】
【００２２】
１  カバー本体
２  クリップ（挟持部）
３  アダプタ（取付部材）
５  凹部（被把持部）
７  ハンドル
７ａ  ヘッド（作用部）
７ｂ  柄
８  軸体
９  押さえ部
１０  アーム
１１  間接活線把持具
１４  バネ材（付勢部材）
１５ａ，１５ｂ  滑り止め部材（当接部位）
Ｅ  入口
Ｌ  ジャンパー線
Ｒ  開口
【図１】
2006121781.tif 000003
【図２】
2006121781.tif 000004
【図３（ａ）（ｂ）】
2006121781.tif 000005